(57)【要約】【課題】上下２段の炎口５Ｕ，５Ｌを有するコンロ用バーナであって、バーナボディとの間に下段炎口５Ｌを画成する環状の下バーナキャップ３と、下バーナキャップ３との間に上段炎口５Ｕを画成する環状の上バーナキャップ４と、下バーナキャップ３と上バーナキャップ４とを分離しないように、且つ、下バーナキャップ３に対し上バーナキャップ４が上方に所定ストロークだけ平行移動することを許容するように連結する連結手段８とを備えるものにおいて、上段炎口５Ｕの掃除の作業性を向上できるようにする。【解決手段】連結手段８は、上バーナキャップ４が下バーナキャップ３に対し上方に所定ストローク平行移動した状態から更に上バーナキャップ４の周方向２箇所を支点にして上下方向に傾動することを許容するように構成される。【選択図】図５
2020067201.tif 000002
【特許請求の範囲】
【請求項１】
上下２段の炎口を有するコンロ用バーナであって、外側筒体と中間筒体と内側筒体との内外３重の筒体を有するバーナボディと、内周部にバーナボディの中間筒体に嵌合する筒部が垂設され、バーナボディの外側筒体との間に下段炎口を画成する環状の下バーナキャップと、内周部にバーナボディの内側筒体に嵌合する筒部が垂設され、下バーナキャップとの間に上段炎口を画成する環状の上バーナキャップと、下バーナキャップと上バーナキャップとを分離しないように、且つ、下バーナキャップに対し上バーナキャップが上方に所定ストロークだけ平行移動することを許容するように連結する連結手段とを備えるものにおいて、
連結手段は、上バーナキャップが下バーナキャップに対し上方に所定ストローク平行移動した状態から更に上バーナキャップの周方向２箇所を支点にして上下方向に傾動することを許容するように構成されることを特徴とするコンロ用バーナ。
【請求項２】
前記上バーナキャップの前記周方向２箇所は、上バーナキャップの当該周方向２箇所間の２つの周方向部分の一方が１８０°を上回る中心角を持つ広間隔部分、他方が１８０°を下回る中心角を持つ狭間隔部分となるような位置に設定され、前記連結手段は、上バーナキャップが前記下バーナキャップに対し上方に所定ストローク平行移動した状態から広間隔部分が上方に傾くように傾動することを許容するように構成されることを特徴とする請求項１記載のコンロ用バーナ。
【請求項３】
前記上バーナキャップの前記周方向２箇所は、周方向にほぼ１８０°離れた位置に設定され、前記連結手段は、上バーナキャップが前記下バーナキャップに対し上方に所定ストローク平行移動した状態から前記周方向２箇所間の一方の半周部分が上方に傾くように傾動することと、前記周方向２箇所間の他方の半周部分が上方に傾くように傾動することとを許容するように構成されることを特徴とする請求項１記載のコンロ用バーナ。
【請求項４】
請求項１〜３の何れか１項記載のコンロ用バーナであって、前記下バーナキャップと前記上バーナキャップとの間の周面のうち、コンロ用バーナを囲うようにしてコンロ天板上に載置する五徳の複数の五徳爪と同一方位に位置する周方向複数部分は、前記上段炎口が存在しない無炎口部とするものにおいて、上バーナキャップの前記周方向２箇所は無炎口部が存在する周方向箇所であることを特徴とするコンロ用バーナ。
【発明の詳細な説明】
【技術分野】
【０００１】
本発明は、上下２段の炎口を有するコンロ用バーナに関する。
【背景技術】
【０００２】
従来、この種のコンロ用バーナとして、外側筒体と中間筒体と内側筒体との内外３重の筒体を有するバーナボディと、内周部にバーナボディの中間筒体に嵌合する筒部が垂設され、バーナボディの外側筒体との間に下段炎口を画成する環状の下バーナキャップと、内周部にバーナボディの内側筒体に嵌合する筒部が垂設され、下バーナキャップとの間に上段炎口を画成する環状の上バーナキャップとを備えるものは知られている（例えば、特許文献１参照）。
【０００３】
ところで、一般的なコンロ用バーナに設けられているバーナキャップは１個であり、上記従来例のような上下２個のバーナキャップを備えるコンロ用バーナは特殊である。そのため、ユーザがバーナ掃除後に上下一方のバーナキャップを設置し忘れる虞がある。この場合、上下のバーナキャップを一体化し、バーナキャップに孔を明けて、この孔で上段炎口を形成することが考えられる。然し、これでは、煮こぼれで上段炎口が目詰まりした場合、掃除がし難くなる。
【０００４】
そこで、従来、特許文献２により、下バーナキャップと上バーナキャップとを分離しないように、且つ、下バーナキャップに対し上バーナキャップが上方に所定ストロークだけ平行移動することを許容するように連結する連結手段を設けたコンロ用バーナも知られている。このものでは、下バーナキャップと上バーナキャップとが連結手段により連結されるため、上下一方のバーナキャップを設置し忘れることを確実に防止できる。
【０００５】
更に、特許文献２に記載のものでは、上バーナキャップを下バーナキャップの上方に引き離して両者間に歯ブラシ等の掃除用具を挿入可能な隙間を確保できるため、上段炎口が煮こぼれで目詰まりしても、上段炎口を掃除用具を用いて容易に掃除できるとしている。然し、実際には、下バーナキャップと上バーナキャップとの間に掃除用具を挿入するに十分な隙間を確保できず、上段炎口の掃除は必ずしも容易ではなかった。
【先行技術文献】
【特許文献】
【０００６】
【特許文献１】特許第３５８６９７４号公報
【特許文献２】特開２００９−６３２０１号公報
【発明の概要】
【発明が解決しようとする課題】
【０００７】
本発明は、以上の点に鑑み、上下のバーナキャップを連結する連結手段を有するコンロ用バーナであって、下バーナキャップと上バーナキャップとの間に掃除用具を挿入するに十分な隙間を確保して、上段炎口の掃除の作業性を向上することができるようにしたものを提供することをその課題としている。
【課題を解決するための手段】
【０００８】
上記課題を解決するために、本発明は、上下２段の炎口を有するコンロ用バーナであって、外側筒体と中間筒体と内側筒体との内外３重の筒体を有するバーナボディと、内周部にバーナボディの中間筒体に嵌合する筒部が垂設され、バーナボディの外側筒体との間に下段炎口を画成する環状の下バーナキャップと、内周部にバーナボディの内側筒体に嵌合する筒部が垂設され、下バーナキャップとの間に上段炎口を画成する環状の上バーナキャップと、下バーナキャップと上バーナキャップとを分離しないように、且つ、下バーナキャップに対し上バーナキャップが上方に所定ストロークだけ平行移動することを許容するように連結する連結手段とを備えるものにおいて、連結手段は、上バーナキャップが下バーナキャップに対し上方に所定ストローク平行移動した状態から更に上バーナキャップの周方向２箇所を支点にして上下方向に傾動することを許容するように構成されることを特徴とする。
【０００９】
本発明によれば、上バーナキャップをその周方向２箇所を支点にして傾動させることにより、支点となる周方向２箇所間の周方向部分で、下バーナキャップと上バーナキャップとの間に上記所定ストロークより広い隙間を空けることができる。従って、この隙間に十分に掃除用具を挿入することができ、上段炎口の掃除の作業性が向上する。
【００１０】
尚、本発明において、上バーナキャップの傾動支点となる周方向２箇所を、上バーナキャップの当該周方向２箇所間の２つの周方向部分の一方が１８０°を上回る中心角を持つ広間隔部分、他方が１８０°を下回る中心角を持つ狭間隔部分となるような位置に設定する場合、連結手段は、上バーナキャップが下バーナキャップに対し上方に所定ストローク平行移動した状態から広間隔部分が上方に傾くように傾動することを許容するように構成すればよく、また、上バーナキャップの傾動支点となる周方向２箇所を周方向にほぼ１８０°離れた位置に設定する場合、連結手段は、上バーナキャップが下バーナキャップに対し上方に所定ストローク平行移動した状態から周方向２箇所間の一方の半周部分が上方に傾くように傾動することと、周方向２箇所間の他方の半周部分が上方に傾くように傾動することとを許容するように構成すればよい。
【００１１】
尚、上バーナキャップの傾動支点となる周方向箇所では、上バーナキャップを傾動させても下バーナキャップと上バーナキャップとの間の隙間は広がらない。ここで、一般的に、下バーナキャップと上バーナキャップとの間の周面のうち、コンロ用バーナを囲うようにしてコンロ天板上に載置する五徳の複数の五徳爪と同一方位に位置する周方向複数部分は、上段炎口が存在しない無炎口部としている。そして、本発明において、上バーナキャップの傾動支点となる周方向２箇所は、無炎口部が存在する周方向箇所であることが望ましい。これによれば、傾動支点となる周方向箇所で下バーナキャップと上バーナキャップとの間の隙間が広がらなくても、上段炎口の掃除に支障をきたすことはない。
【図面の簡単な説明】
【００１２】
【図１】本発明の第１実施形態のコンロ用バーナの斜視図。
【図２】図１のＩＩ−ＩＩ線で切断した断面図。
【図３】第１実施形態のコンロ用バーナの下バーナキャップの斜め上方から見た斜視図。
【図４】第１実施形態のコンロ用バーナの上バーナキャップの斜め下方から見た斜視図。
【図５】第１実施形態のコンロ用バーナの上バーナキャップを傾動させた状態における上下のバーナキャップの斜視図。
【図６】図５のＶＩ−ＶＩ線で切断した断面図。
【図７】本発明の第２実施形態のコンロ用バーナの下バーナキャップの斜め上方から見た斜視図。
【図８】第２実施形態のコンロ用バーナの上バーナキャップの斜め下方から見た斜視図。
【図９】第２実施形態のコンロ用バーナの上バーナキャップを傾動させた状態における上下のバーナキャップの斜視図。
【図１０】図９のＸ−Ｘ線で切断した断面図。
【発明を実施するための形態】
【００１３】
図１、図２を参照して、１は、本発明の実施形態のコンロ用バーナである。このコンロ用バーナ１は、外側筒体２１と中間筒体２２と内側筒体２３との内外３重の筒体を有するバーナボディ２と、内周部にバーナボディ２の中間筒体２２に嵌合する筒部３１を垂設した環状の下バーナキャップ３と、内周部にバーナボディ２の内側筒体２３に嵌合する筒部４１を垂設した環状の上バーナキャップ４とを備えている。
【００１４】
そして、バーナボディ２の外側筒体２１と下バーナキャップ３との間に下段炎口５Ｌが画成され、下バーナキャップ３と上バーナキャップ４との間に上段炎口５Ｕが画成されている。図３も参照して具体的に説明すれば、下バーナキャップ３の下面外周部に、バーナボディ２の外側筒体２１の上端に着座する環状壁３２を垂設し、この環状壁３２に、下段炎口５Ｌとなる溝を周方向の間隔を存して複数形成している。
【００１５】
また、上段炎口５Ｕは、上炎口部分５Ｕａと下炎口部分５Ｕｂとの上下２部分に分割されている。そして、下バーナキャップ３の上面外周部に環状壁３３を立設し、この環状壁３３に、下炎口部分５Ｕｂとなる溝を周方向の間隔を存して複数形成している。また、図４にも示されているように、上バーナキャップ４の下面外周部に、環状壁３３に着座する環状壁４２を垂設し、この環状壁４２に、上炎口部分５Ｕａとなる溝を周方向の間隔を存して、且つ、下炎口部分５Ｕｂとなる溝に対し周方向に位置をずらして複数形成している。尚、下バーナキャップ３と上バーナキャップ４との間の周面のうち、コンロ用バーナ１を囲うようにしてコンロ天板（図示せず）上に載置する五徳（図示せず）の６個の五徳爪と同一方位に位置する６箇所の周方向部分は、上段炎口５Ｕに形成される火炎が五徳爪に触れて不完全燃焼することがないように、上段炎口５Ｕ、即ち、上炎口部分５Ｕａ及び下炎口部分５Ｕｂが存在しない無炎口部５Ｎとしている。
【００１６】
コンロ用バーナ１は、更に、バーナボディ２の中間筒体２２と内側筒体２３との間の空間に連通する上段炎口５Ｕ用の第１混合管６Ｕと、バーナボディ２の外側筒体２１と中間筒体２２との間の空間に連通する下段炎口５Ｌ用の第２混合管６Ｌとを備えている。そして、第１と第２の各混合管６Ｕ，６Ｌの上流端に臨む第１と第２の各ガス管７Ｕ，７Ｌから供給される燃料ガスと燃料ガスの流れで吸引される一次空気とが各混合管６Ｕ，６Ｌ内で混合され、各混合管６Ｕ，６Ｌからの混合気が対応する各炎口５Ｕ，５Ｌから噴出して燃焼するようにしている。これによれば、上段炎口５Ｕと下段炎口５Ｌとの両者で燃焼させる強火状態から下段炎口５Ｌのみで燃焼させるとろ火状態まで火力を広範囲に可変することができる。
【００１７】
また、コンロ用バーナ１には、下バーナキャップ３の周方向１箇所の無炎口部５Ｎの径方向外方に突出するターゲット３４に対向する点火電極１１と、火炎を検知する熱電対１２とが付設されている。
【００１８】
更に、下バーナキャップ３と上バーナキャップ４とを分離しないように連結する連結手段８が設けられている。この連結手段８は、下バーナキャップ３に対し上バーナキャップ４が上方に所定ストロークだけ平行移動することを許容すると共に、上バーナキャップ４が下バーナキャップ３に対し上方に所定ストローク平行移動した状態から更に上バーナキャップ４の周方向２箇所を支点にして上下方向に傾動することを許容するように構成されている。以下、連結手段８について具体的に説明する。
【００１９】
図２乃至図４を参照して、連結手段８は、下バーナキャップ３のターゲット３４を突設した無炎口部５Ｎが存在する周方向箇所に周方向に少許の間隙を存して立設した一対の第１係止爪部８１１，８１１と、この無炎口部５Ｎから周方向一方と他方に１２０°離れた下バーナキャップ３の無炎口部５Ｎ，５Ｎが存在する周方向箇所に立設した２個の第２係止爪部８１２，８１２と、これら第１と第２の係止爪部８１１，８１２により下バーナキャップ３に係止される、周囲１箇所が切り欠かれた止め輪８２と、ターゲット３４を突設した下バーナキャップ３の無炎口部５Ｎの上に位置する上バーナキャップ４の無炎口部５Ｎが存在する周方向箇所に垂設した、一対の第１係止爪部８１１，８１１間に挿入される第１引掛け爪部８３１と、この無炎口部５Ｎから周方向一方と他方に６０°離れた上バーナキャップ４の無炎口部５Ｎ，５Ｎが存在する周方向箇所に垂設した一対の第２引掛け爪部８３２，８３２とで構成されている。
【００２０】
第１と第２の各引掛け爪部８３１，８３２の内側縁には、止め輪８２を受け入れる凹欠部８３ａが形成されている。上バーナキャップ４が下バーナキャップ３に着座している状態では、止め輪８２と凹欠部８３ａの下端縁８３ｂとの間に所定ストローク分の隙間が空く。そのため、上バーナキャップ４を下バーナキャップ３に対し上方に所定ストローク平行移動させたときに、第１と第２の各引掛け爪部８３１，８３２の凹欠部８３ａの下端縁８３ｂが止め輪８２に引掛かる。更に、この状態から上バーナキャップ４を、周方向２箇所、即ち、止め輪８２に引掛かった２個の第２引掛け爪部８３２，８３２の凹欠部８３ａの下端縁８３ｂを支点にして上下方向に傾動できる。ここで、上バーナキャップ４の２個の第２引掛け爪部８３２，８３２間の２つの周方向部分の一方は、第１引掛け爪部８３１が存在する中心角が１８０°を下回る約１２０°の狭間隔部分となり、他方は、中心角が１８０°を上回る約２４０°の広間隔部分となる。そして、上バーナキャップ４を下バーナキャップ３に対し上方に所定ストローク平行移動させた状態から、図５、図６に示す如く、広間隔部分が上方に傾くように上バーナキャップ４を傾動することができる。これによれば、下バーナキャップ３と上バーナキャップ４との間に広間隔部分で上記所定ストロークより広い隙間を空けることができる。従って、この隙間に十分に歯ブラシ等の掃除用具を挿入することができ、上段炎口５Ｕの掃除の作業性が向上する。
【００２１】
尚、上バーナキャップ４の傾動支点となる各第２引掛け爪部８３２が配置された周方向箇所では、上バーナキャップ４を傾動させても下バーナキャップ３と上バーナキャップ４との間の隙間は広がらない。然し、各第２引掛け爪部８３２が配置されている周方向箇所は、無炎口部５Ｎが存在する箇所であるため、この周方向箇所で下バーナキャップ３と上バーナキャップ４との間の隙間が広がらなくても、上段炎口５Ｕの掃除に支障をきたすことはない。
【００２２】
次に、図７乃至図１０に示す第２実施形態について設明する。第２実施形態の基本的な構造は、上記第１実施形態のものと特に異ならず、第１実施形態と同様の部材、部位に上記と同一の符号を付している。第２実施形態の第１実施形態との相違点は、連結手段８の構成である。
【００２３】
第２実施形態において、連結手段８は、上バーナキャップ４に、下バーナキャップ３のターゲット３４を突設した無炎口部５Ｎの真上に位置する無炎口部５Ｎから周方向一方と他方に夫々６０°及び１２０°離れた無炎口部５Ｎ，５Ｎが存在する周方向箇所に位置させて垂設した計４個の係止爪部８４と、これら係止爪部８４により上バーナキャップ４に係止される、周方向１箇所が切り欠かれた止め輪８５と、下バーナキャップ３のターゲット３４を突設した無炎口部５Ｎが存在する周方向箇所に、周方向に少許の隙間を存して立設した一対の第１引掛け爪部８６１，８６１と、この無炎口部５Ｎから１８０°離れた下バーナキャップ３の無炎口部５Ｎが存在する周方向箇所に、周方向に少許の隙間を存して立設した一対の第２引掛け爪部８６２，８６２とで構成されている。また、下バーナキャップ３には、ターゲット３４を突設した無炎口部５Ｎから周方向一方と他方に６０°及び１２０°離れた無炎口部５Ｎが存在する周方向箇所に位置させて、止め輪８５が径方向外方にずれることを阻止する計４個のガイド突起８７が立設されている。更に、上バーナキャップ４には、下バーナキャップ３のターゲット３４を突設した無炎口部５Ｎの真上に位置する無炎口部５Ｎが存在する周方向箇所とこれから１８０°離れた無炎口部５Ｎが存在する周方向箇所とに位置させて、止め輪８５が径方向内方にずれることを阻止する２個のガイド突起８８が垂設されている。
【００２４】
第１と第２の各引掛け爪部８６１，８６２の内側縁には、止め輪８５を受け入れる凹欠部８６ａが形成されている。上バーナキャップ４が下バーナキャップ３に着座している状態では、止め輪８５と凹欠部８６ａの上端縁８６ｂとの間に所定ストローク分の隙間が空く。そのため、上バーナキャップ４を下バーナキャップ３に対し上方に所定ストローク平行移動させたときに、第１と第２の両引掛け爪部８６１，８６２の凹欠部８６ａの上端縁８６ｂに上バーナキャップ４と共に上動する止め輪８５が引掛かる。更に、この状態から上バーナキャップ４を、周方向にほぼ１８０°離れた周方向２箇所、即ち、第１と第２の両引掛け爪部８６１，８６２の凹欠部８６ａの上端縁８６ｂに対する止め輪８５の引掛かり部を支点にして上下方向に傾動できる。そして、図９、図１０に示す如く、第１と第２の両引掛け爪部８６１，８６２の凹欠部８６ａの上端縁８６ｂに対する止め輪８５の引掛かり部間の周方向部分である上バーナキャップ４の一方の半周部分が上方に傾くように上バーナキャップ４を傾動させ、また、上バーナキャップ４の他方の半周部分が上方に傾くように上バーナキャップ４を傾動させることにより、下バーナキャップ３と上バーナキャップ４との間に上方に傾いた半周部分で上記所定ストロークより広い隙間を空けることができる。従って、この隙間に十分に歯ブラシ等の掃除用具を挿入することができ、上段炎口５Ｕの掃除の作業性が向上する。
【００２５】
また、上バーナキャップ４の傾動支点となる第１と第２の両引掛け爪部８６１，８６２の凹欠部８６ａの上端縁８６ｂに対する止め輪８５の引掛かり部が位置する周方向箇所では、上バーナキャップ４を傾動させても下バーナキャップ３と上バーナキャップ４との間の隙間は広がらないが、これら周方向箇所は無炎口部５Ｎが存在する箇所であるため、上段炎口５Ｕの掃除に支障をきたすことはない。
【００２６】
以上、本発明の実施形態について図面を参照して説明したが、本発明はこれに限定されない。例えば、下バーナキャップと上バーナキャップとを連結する連結手段を、下バーナキャップの外周部の周方向２箇所に形成したピン挿通孔に下方から挿入される、下端に抜け止め用の頭部を有する２個のピンで構成することも可能である。この場合、各ピンを上バーナキャップの外周部に下方から連結して、上バーナキャップを下バーナキャップに対し上方に所定ストローク移動させたときに、ピン頭部が下バーナキャップのピン挿通孔の下端縁に当接するようにし、更に、ピン挿通孔を上方に向かって拡径するテーパー状に形成し、上バーナキャップが２個のピンを支点にして上下方向に傾動することを許容できるようにすればよい。
【００２７】
また、上記実施形態では、下バーナキャップ３と上バーナキャップ４との間の環状壁を、下バーナキャップ３に立設した、上段炎口５Ｕの下炎口部分５Ｕｂを形成する環状壁３３と、上バーナキャップ４に垂設した、上段炎口５Ｕの上炎口部分５Ｕａを形成する環状壁４２とで構成しているが、これら環状壁３３，４２を一体化した環状壁を下バーナキャップ３と上バーナキャップ４との一方に設けて、この環状壁に上段炎口５Ｕを上下２部分に分割せずに形成するようにしてもよい。
【符号の説明】
【００２８】
１…コンロ用バーナ、２…バーナボディ、２１…外側筒体、２２…中間筒体、２３…内側筒体、３…下バーナキャップ、３１…下バーナキャップの筒部、４…上バーナキャップ、４１…上バーナキャップの筒部、５Ｌ…下段炎口、５Ｕ…上段炎口、５Ｎ…無炎口部、８…連結手段。
【図１】
2020067201.tif 000003
【図２】
2020067201.tif 000004
【図３】
2020067201.tif 000005
【図４】
2020067201.tif 000006
【図５】
2020067201.tif 000007
【図６】
2020067201.tif 000008
【図７】
2020067201.tif 000009
【図８】
2020067201.tif 000010
【図９】
2020067201.tif 000011
【図１０】
2020067201.tif 000012